(57)【要約】      （修正有）【課題】作業者の安全性を確保し、周囲への飛石の飛散を防護し、粉塵の周囲への飛散を確実に防ぐことができる飛石・粉塵防護用自立柵を提供する。【解決手段】刈払い機による草刈り作業時又は粉塵環境下での作業時における飛石及び／又は粉塵の周囲への飛散を防護する飛石・粉塵防護用自立柵であって、蝶番１２によって折畳み・展開可能に連結され、相互に角度をもって展開されることによって作業現場の前方又は後方と側方とをカバーして自立可能である複数の矩形フレーム１０と、複数の矩形フレームの正面側に張架され、飛石が衝突することによって飛石を落下させる飛石防護ネット１３と、複数の矩形フレームの背面側に張架され、飛石防護ネットの目をすり抜けた微小な飛石及び粉塵が衝突することによって微小な飛石及び粉塵を落下させる粉塵防護シート１４と、を備える。【選択図】図１
0003183984.tif 000002
【実用新案登録請求の範囲】
【請求項１】
刈払い機による草刈り作業時又は粉塵環境下での作業時における飛石及び／又は粉塵の周囲への飛散を防護する飛石・粉塵防護用自立柵であって、
蝶番（１２）によって折畳み・展開可能に連結され、相互に角度をもって展開されることによって作業現場の前方又は後方と側方とをカバーして自立可能である複数の矩形フレーム（１０）と、
該複数の矩形フレーム（１０）の正面側に張架され、飛石が衝突することによって飛石を落下させる飛石防護ネット（１３）と、
上記複数の矩形フレーム（１０）の背面側に張架され、上記飛石防護ネット（１３）の目をすり抜けた微小な飛石及び粉塵が衝突することによって微小な飛石及び粉塵を落下させる粉塵防護シート（１４）と、
を備えたことを特徴とする飛石・粉塵防護用自立柵。
【請求項２】
上記粉塵防護シート（１３）は上記複数の矩形フレーム（１０）の背面側に脱着可能に張架されている請求項１記載の飛石・粉塵防護用自立柵。
【考案の詳細な説明】
【技術分野】
【０００１】
この考案は飛石・粉塵防護用自立柵に関し、特に作業者の安全性を確保しつつ周囲への飛石の飛散を防護し及び粉塵の周囲への飛散を確実に防ぐことのできるようにした自立柵に関する。
【背景技術】
【０００２】
道路沿い、駐車場、公園などの雑草を刈り取る場合、刈払い機がよく使用される。この刈払い機はエンジン又はモータの駆動力を刈払い刃に伝えて刈払い刃を高速で回転させて雑草を刈り取るようになっており、刈払い刃が小石に当たると小石が飛散して通行人や自動車などに衝突して、通行人が怪我をし、自動車などが傷つくおそれがある。
【０００３】
これに対し、帯状のネットを長尺のバーから吊り下げ、草刈り作業の補助者がバーを持って草刈り作業を行っている場所の側方に立ち、通行人や自動車などを飛石から防護するようにした防護ネットが提案されているが（特許文献１）、草刈り作業の補助者を必要とする。
【０００４】
また、道路側方のガードレールを利用してネットを張架し、通行人や自動車などを飛石から防護する防護ネットが提案されているが（特許文献２）、ガードレールがない場所では採用できない。
【０００５】
他方、横長の矩形フレームにネットを張架し、台車に矩形フレームを搭載し、これを草刈り作業を行う場所まで移動させて草刈り作業現場の側方に立て、通行人や自動車などを飛石から防護するようにした防護ネットも提案されている（特許文献３）。
【０００６】
他方、解体作業や掘削作業など、粉塵の発生する作業現場において、現場を建屋で覆い、建屋内に粉塵防護シートを張設し、発生する粉塵が周囲に飛散するのを防止するようにした方法が提案されている（特許文献４）。
【先行技術文献】
【特許文献】
【０００７】
【特許文献１】実用新案登録第３１４９１７５号公報
【特許文献２】特開２００７−３７４２７号公報
【特許文献３】実用新案登録第３１０７６４９号公報
【特許文献４】特開２００７−１３８４８７号公報
【考案の開示】
【考案が解決しようとする課題】
【０００８】
ところで、刈払い作業では作業者の向く方向が作業現場の状況によって様々であり、飛石の方向は一定ではない。
しかも、飛石は作業者の側方だけではなく、反時計廻りに回転する刈払い刃の刃先と小石の衝突の仕方によっては前方や左斜め前方にも小石が飛散することがある。
【０００９】
しかし、特許文献３記載の防護ネットでは作業者の側方への飛石を防ぐことを目的としており、前方や右斜め前方への飛石は防ぐことができず、飛石の危険性を回避するためには草刈り作業中の作業者の姿勢が制限されてしまい、作業現場の状況によっては作業者の安全性が損なわれるおそれがあった。
【００１０】
また、特許文献４記載の粉塵防護方法では建屋の建設を必要とし、作業が煩雑であり、簡単な作業現場には適用しにくい。
【００１１】
本考案はかかる状況において、作業者の安全性を確保しつつ周囲への飛石の飛散を防護し及び粉塵の周囲への飛散を確実に防ぐことのできるようにした飛石・粉塵防護用自立柵を提供することを課題とする。
【課題を解決するための手段】
【００１２】
そこで、本考案に係る草刈り時の飛石・粉塵防護用自立柵は、蝶番によって折畳み・展開可能に連結され、相互に角度をもって展開されることによって作業現場の前方又は後方と側方とをカバーして自立可能である複数の矩形フレームと、該複数の矩形フレームの正面側に張架され、飛石が衝突することによって飛石を落下させる飛石防護ネットと、上記複数の矩形フレームの背面側に張架され、上記飛石防護ネットの目をすり抜けた微小な飛石及び粉塵が衝突することによって微小な飛石及び粉塵を落下させる粉塵防護シートと、を備えたことを特徴とする。
【００１３】
本考案の特徴の１つは複数の矩形フレームを蝶番によって折畳み・展開可能に設け、複数の矩形フレームを所定の角度で展開させることによって作業現場の前方又は後方と側方とをカバーできるようにした点にある。
【００１４】
これにより、作業者の側方だけでなく、前方への飛石を確実に防ぐことができ、飛石が周囲に飛散して通行人や自動車などに当たるおそれを少なくでき、作業者は安心して草刈り作業を行うことができる。
【００１５】
また、飛石の危険性を回避できるので、作業者は危険な姿勢で草刈り作業を行う必要がなく、安全な姿勢を維持しながら草刈り作業を行うことができ、作業者の安全性を確保することができる。
【００１６】
さらに、複数の矩形フレームを折り畳むと、コンパクトになるので、持ち運びも簡単に行える。
【００１７】
また、草刈り作業中の飛石にはネットの目を通過するような微小な小石も含まれており、このような微小な小石の飛散や粉塵の飛散も防止するのが望ましい。そこで、複数の矩形フレームの背面側に粉塵防護用シートを張架し、飛石防護用ネットの目をすり抜けた微小な飛石や粉塵を粉塵防護シートに衝突させることによって微小な飛石や粉塵を落下させるようにしている。これにより、作業者はより一層安心して草刈り作業を行うことができる。
【００１８】
上述のように、粉塵の飛散を防止できるということは、粉塵の発生する作業現場においても粉塵の飛散を簡単に防止できることを意味する。すなわち、解体現場や掘削現場では複数枚の飛石・粉塵防護用自立柵を用いて作業現場の前後及び左右を囲むように設置すると、粉塵の発生する現場をほぼ覆うことができ、粉塵が周囲に飛散するのを防ぐことができる。しかも、自立柵で作業現場を覆うようにすればよいので、作業が簡単で、コスト高を招来することもない。風向きによっては前方又は後方のいずれかと側方とを覆うようにしてもよい。
【００１９】
粉塵防護用シートは通風性がないので、風の強いときに草刈り作業を行うときには飛石・粉塵防護用自立柵が倒れるおそれがある。そこで、粉塵防護用シートは矩形フレームに着脱可能とし、必要に応じて脱着できるようにするのが好ましい。
【図面の簡単な説明】
【００２０】
【図１】本考案に係る飛石・粉塵防護用自立柵の好ましい実施形態を示す概略斜視図である。
【図２】上記実施形態の使用例を示す図である。
【考案を実施するための形態】
【００２１】
以下、本考案を図面に示す具体例に基づいて詳細に説明する。図１及び図２は本考案に係る飛石・粉塵防護用自立柵の好ましい実施形態を示す。図において、自立柵２０は２つの矩形フレーム１０を備え、両矩形フレーム１０は４本の合成樹脂製パイプをＬ型エルボで矩形状に連結して例えば横１．２ｍ、高さ１．５ｍのフレーム状に製作され、蝶番１２によって折畳み・転回可能に連結されている。
【００２２】
この２つの矩形フレーム１０の正面側には飛石防護ネット１３が例えばネット１３四隅の挿通穴に紐を挿通しこの紐を矩形フレーム１０に結び付けることによって２枚の矩形フレーム１０にわたって張架されている。
【００２３】
また、２つのフレーム１０の背面側には粉塵防護シート１４が飛石防護ネット１３と同様の方法によって着脱可能に張架されている。
【００２４】
例えば、公園の雑草を仮払い機３０を用いて刈り取る場合、本例の自立柵２０を折り畳んで作業現場まで運び、図２に示されるように、本例の自立柵２０の２つの矩形フレーム１０を適切な角度に展開しこれを草刈り作業を行う場所の前方及び側方をカバーするように起立させ、その状態で作業者３１が仮払い機３０を使用して雑草を刈り取ればよい。
【００２５】
予定の場所の草刈りが済むと、自立柵２０を次の場所に移動させて雑草を刈り取る作業を継続すればよい。
【００２６】
風が強く、自立柵２０が倒れるおそれがあるときには、粉塵防護シート１４を矩形フレーム１０から取り外せば倒れのおそれを少なくできる。
【００２７】
以上のように、２つの矩形フレーム１０を蝶番１２によって折畳み・展開可能に設け、２つの矩形フレーム１０を所定の角度で展開させ、草刈り作業現場の前方及び側方をカバーできるようにしたので、作業者３１の側方だけでなく、前方への飛石を確実に防ぐことができ、飛石が周囲に飛散して通行人や自動車などに当たるおそれを少なくでき、作業者は安心して草刈り作業を行うことができる。
【００２８】
また、自立柵２０によって飛石の危険性を回避できるので、作業者３１は危険な姿勢で草刈り作業を行う必要がなく、作業者の安全性も確保することができる。
【００２９】
また、草刈り作業中の飛石には飛石防護ネット１３の目を通過するような微小な小石も含まれているが、このような微小な小石は粉塵防護シート１４に衝突するので、微小な小石の飛散を防止することができる。
【００３０】
さらに、草刈り作業中に仮払い刃が土砂と衝突し、粉塵が発生した場合にも、粉塵は粉塵防護シート１４に衝突して落下され、周囲に飛散することが少ない。
【００３１】
また、掘削作業などを行う場合、複数枚、例えば２枚の自立柵２０を用い、作業現場の前後及び左右に立てて作業現場を覆うと、掘削などによって発生する粉塵が周囲に飛散するのを少なくできる。
【００３２】
しかも、自立柵で作業現場を覆うようにすればよいので、作業が簡単で、コスト高を招来することもない。
【００３３】
なお、上記の例では飛石防護ネット及び粉塵防護シートを紐でフレームに取付けるようにしたが、クリップその他の治具で取付けるようにしてもよい。
【符号の説明】
【００３４】
１０      矩形フレーム
１２      蝶番
１３      ネット
１４      シート
２０      飛石・粉塵防護用自立柵
３０      仮払い機
３１      作業者
【図１】
0003183984.tif 000003
【図２】
0003183984.tif 000004